(57)【特許請求の範囲】
【請求項１】
表示部に設置される表示板と、
該表示板の外縁に上方から当接するダイヤルリングと、
前記表示板を直接若しくは間接的に下方から位置決め支持する支持体とを備え、前記ダイヤルリングの底面上に前記支持体に対して周回方向に係合する係合部を設けたダイヤルリングの位置決め構造において、
前記支持体には前記表示板を取り外すための工具挿入溝が形成されており、該工具挿入溝に前記係合部が係合するように構成されているダイヤルリングの位置決め構造。
【請求項２】
請求項１において、前記係合部は前記支持体に対して半径方向にも係合しているダイヤルリングの位置決め構造。
【請求項３】
請求項１または請求項２において、前記係合部は、前記工具挿入溝における前記周回方向の両端部に対応する位置に相互に離反した状態で一対設けられているダイヤルリングの位置決め構造。
【請求項４】
請求項１乃至請求項３のいずれか１項に記載されたダイヤルリングの位置決め構造を有する表示機器。
【発明の詳細な説明】
【０００１】
【発明の属する技術分野】
本発明はダイヤルリングの位置決め構造及びこれを有する表示機器に関する。
【０００２】
【従来の技術】
従来、表示機器の一種である腕時計においては、ムーブメントの上部に文字板受けリング（中枠）を介して表示板である文字板を設置し、この文字板の外縁をダイヤルリングによって押圧固定した表示部構造を備えている。
【０００３】
図５は、このような腕時計の表示部外縁の構造を示す概略平面図である。ここで、文字板１２の裏面からは図示しない位置決め脚部が突出し、この位置決め脚部を図示しないムーブメントの地板に圧入して固定するとともに、文字板１２の裏面がムーブメントを固定する文字板受けリング１１上に当接している。文字板１２の外縁には図示しない胴内に組み込まれることにより上方からダイヤルリング１３が押圧するようになっている。このダイヤルリング１３の表面１３ａは、無地である場合と、文字板１２に対応する目盛りなどが印刷表示されている場合とがある。
【０００４】
ここで、ダイヤルリング１３の表面１３ａに目盛りなどの文字板１２に対応した表示がなされる場合には、図示一点鎖線で示す文字板１２に対してダイヤルリング１３を位置決めする必要があるので、文字板１２の外周に突出部１２ａを形成し、この突出部１２ａに対応する係合溝１３ｂをダイヤルリング１３の底面上に形成し、突出部１２ａを係合溝１３ｂに嵌合させることによって、ダイヤルリング１３の周回方向の位置決めを行うようにしている。
【０００５】
なお、図示二点鎖線で示す文字板受けリング１１の表面上には文字板１２をマイナスドライバーなどの工具先端により抜去する際に工具先端を挿入するための工具挿入溝１１ａが２ヶ所に形成されている。
【０００６】
【発明が解決しようとする課題】
ところが、ダイヤルリング１３の位置決めを行う場合、上述のように文字板１２の外周に突出部１２ａを形成する必要があることから、文字板１２を特別な金型にて形成する必要があり、また、ダイヤルリングを備えない腕時計や目盛りが表示されていないダイヤルリングを備えた腕時計の場合に対して文字板を共用することができないため、製造コストが高くなるという問題点がある。
【０００７】
そこで本発明は上記問題点を解決するものであり、その課題は、表示部及びダイヤルリングを備えた表示機器において、ダイヤルリングを位置決めするために文字板に突出部を設ける必要のないダイヤルリングの位置決め構造を提供することにある。
【０００８】
【課題を解決するための手段】
上記課題を解決するために本発明が講じた手段は、表示部に設置される表示板と、該表示板の外縁に上方から当接するダイヤルリングと、前記表示板を直接若しくは間接的に下方から位置決め支持する支持体とを備え、前記ダイヤルリングの底面上に前記支持体に対して周回方向に係合する係合部を設けたダイヤルリングの位置決め構造において、前記支持体には前記表示板を取り外すための工具挿入溝が形成されており、該工具挿入溝に前記係合部が係合するように構成されているダイヤルリングの位置決め構造である。
【０００９】
この手段によれば、表示板の外縁に当接するダイヤルリングの底面上に、表示板を位置決め支持する支持体に対して周回方向に係合する係合部を設けたことにより、ダイヤルリングを間接的に表示板に対して周回方向に位置決めすることができることから、たとえば、表示板の外周に張り出す位置決め形状を設ける必要がなくなるなど、各部品をダイヤルリングのない機器に対しても共用することができるように構成することが可能になり、製造コストの低減を図ることができる。さらに、支持体に形成された工具挿入溝に係合部が係合しているため、その係合部に係合するための構造を別途支持体に形成する必要がなく、製造コストを低減できるとともに、支持体には工具挿入溝しか形成されないので、ダイヤルリングがない機器、或いは、ダイヤルリングの位置決めの必要がなく係合部が設けられていない機器においても、何ら支障なく支持体を共用することができる。
【００１０】
ここで、前記係合部は前記支持体に対して半径方向にも係合していることが好ましい。
【００１１】
この手段によれば、係合部が支持体に対して半径方向にも係合していることにより、ダイヤルリングを平面的に完全に支持体に対して位置決めすることができるので、組立作業を容易にすることができる。
【００１４】
この場合にはまた、前記係合部は、前記工具挿入溝における前記周回方向の両端部に対応する位置に相互に離反した状態で一対設けられていることが望ましい。
【００１５】
この手段によれば、工具挿入溝の周回方向の両端部に相互に離反した一対の係合部が係合するように構成されていることにより、周回方向の位置決めを完全に行うことができると同時に、一対の係合部の間に間隙が存在するため、ダイヤルリングを装着したままで工具挿入溝を使用することができる。ここで、ダイヤルリングを取り外すための別の工具挿入溝をダイヤルリングにおける一対の係合部の間に形成してもよい。
【００１６】
上記各手段に記載されたダイヤルリングの位置決め構造は、種々の表示機器に適用することができる。表示機器としては、時計、腕時計、測定表示装置、画像表示装置などの本来的な表示機器の他、付随的に表示部を備えた電子機器などの種々の機器を含む。
【００１７】
なお、上記手段において、ダイヤルリングの係合部と支持体とを単に係合させるだけでなく、相互に圧入して固定してもよく、この場合に、ダイヤルリングの取り外し用の工具挿入溝をダイヤルリングの底面上に設けることが好ましい。
【００１８】
上記の支持体とは、時計の場合には文字板受けリング乃至は中枠と、ムーブメント乃至は地板とを含む構成部分に相当するものである。
【００１９】
【発明の実施の形態】
次に、添付図面を参照して本発明に係る実施形態について説明する。図１は本発明に係るダイヤルリングの位置決め構造及び表示機器の実施形態を示す全体概略構成図である。なお、この図において、中央の一点鎖線より右側は腕時計の６時方向の断面を、一点鎖線より左側は腕時計の３時方向の断面を示す。本実施形態は腕時計の表示部内に設けられた表示板としての文字板に当接するダイヤルリングの位置決めを行う構造に本発明を適用した例を示すものである。
【００２０】
ムーブメント１０には文字板受けリング（中枠）１１が取付固定されており、この文字板受けリング１１上に文字板１２が配置されている。この文字板１２の裏面上には位置決め脚部１２ｂが突出形成されており、この位置決め脚部１２ｂはムーブメント１０の地板に圧入されている。文字板１２の外縁はダイヤルリング１３によって押圧固定されている。ダイヤルリング１３の表面１３ａには文字板１２の時刻表示と合致した目盛りを表示するための印刷層１４が形成されている。
【００２１】
ダイヤルリング１３は胴１によって相対的に下方に押圧されており、ムーブメント１０の地板に対して位置決めされた文字板１２を文字板受けリング１１とダイヤルリング１３とが上下から挟持するように構成されている。なお、カバーガラス２は胴１に対してパッキンなどを介して固定されており、また、胴１の裏面側には裏蓋３が取り付けられている。
【００２２】
図２は、本実施形態のダイヤルリング１３の平面形状を示す平面図であり、図示一点鎖線で示す文字板１２と、図示２点鎖線で示す文字板受けリング１１とを併記してある。また、図３はダイヤルリング１３の底面図である。
【００２３】
文字板受けリング１１の表面上には１２時方向及び６時方向の２ヶ所に文字板１２を取り外すための工具挿入溝１１ａ，１１ｂが形成されている。工具挿入溝１１ａは上記従来例と全く同様のものであるが、工具挿入溝１１ｂには、後述するようにダイヤルリング１３を径方向に位置決めするための内側に向いた段差面１１ｃが形成されている。
【００２４】
ダイヤルリング１３の底面には、ちょうど文字板受けリング１１の工具挿入溝１１ｂに対応する位置にダイヤルリング１３を取り外すための工具挿入溝１３ｃが一体に形成されており、さらに、この工具挿入溝１３ｃの周回方向の両端部から突出する断面円形の係合突起１３ｄが一体に形成されている。この係合突起１３ｄは、文字板受けリング１１の工具挿入溝１１ｂに圧入され、工具挿入溝１１ｂの内側を向いた段差面１１ｃと、工具挿入溝１１ｂの周回方向の両端に形成された側面１１ｄとに係合して、ダイヤルリング１３を文字板受けリング１１に対して径方向及び周回方向の双方に位置決めするようになっている。
【００２５】
上述の係合突起１３ｄと工具挿入溝１１ｂとの係合部を表示部の中央側から見た周回方向の断面を図４に示す。基本的に、図示点線で示す文字板１２を上下方向から挟持するために、文字板受けリング１１とダイヤルリング１３とは相互に上下方向には係合しないようになっているため、図示一点鎖線に示すように、組み付け時においては文字板受けリング１１の表面とダイヤルリング１３の底面との間には間隙が存在するように設定されている。しかし、ダイヤルリング１３の係合突起１３ｄは文字板受けリング１１の工具挿入溝１１ｂの両端部に係合するため、ダイヤルリング１３は文字板受けリング１１に対して周回方向に位置決めされ、文字板受けリング１１はムーブメント１０に対して位置決めされているため、ムーブメント１０の地板に圧入されている文字板１２とダイヤルリング１３とは間接的に位置決めされていることになる。
【００２６】
ダイヤルリング１３の径方向の位置決めは図示しない胴（時計ケース）によって或る程度なされるために通常は必ずしも必要ないが、本実施形態では文字板受けリング１１の工具挿入溝１１ｂに段差面１１ｃを形成することによってダイヤルリング１３を径方向にも位置決めすることができるようになっている。この場合、ムーブメント１０、文字板受けリング１１、文字板１２及びダイヤルリング１３を相互に位置決めすることができるので、時計の組立時における作業が容易になり、自動化も容易である。なお、段差面１１ｃに対向する側にも別の段差面を文字板受けリング１１上に形成し、両段差面の間にダイヤルリング１３の係合突起１３ｄを圧入することにより、ダイヤルリング１３を径方向にも完全に固定することができる。
【００２７】
また、本実施形態では、ダイヤルリング１３の互いに離反した一対の係合突起１３ｄを文字板受けリング１１の工具挿入溝１１ｂの両端に係合させるようにしたので、係合突起１３ｄが文字板取り外し時の工具の挿入を妨げることもなく、また、一対の係合突起１３ｄの間にダイヤルリング１３の取り外し用の工具挿入溝１３ｃも形成することができる。
【００２８】
本実施形態では、文字板１２の外周に従来のような突出部を設ける必要がないため、ダイヤルリングのない腕時計やダイヤルリングに目盛りなどの文字板と対応する表示のない腕時計に対しても各部品を支障なく共用とすることができるため、製造コストを低減することができる。
【００２９】
さらに、ダイヤルリング１３の係合突起１３ｄを文字板受けリング１１の工具挿入溝１１ｂに圧入しているので、時計の組立時においてムーブメント１０、文字板受けリング１１、文字板１２及びダイヤルリング１３を相互に保持することができるため、さらに組立作業を容易にすることができる。ただし、ダイヤルリング１３と文字板１２との位置決めは視覚上の精度が保たれていればよいため、係合突起１３ｄと工具挿入溝１１ｂとを圧入ではなく単なる係合により位置決めしてもよい。
【００３０】
さらに、上記実施形態ではダイヤルリング１３の係合突起１３ｄを文字板受けリング１１に対して係合させているが、係合部をムーブメント１０自体或いは地板などに対して直接に係合させてもよい。すなわち、係合部は文字板を直接若しくは間接的に位置決めしている支持体に対して係合していればよい。
【００３１】
以上説明した実施形態においては本発明を腕時計について適用した例を説明したが、本発明は腕時計に限らず、表示部を備えた機器でさえあれば、種々の電子機器その他の各種表示機器に適用することが可能である。ここで、表示機器とは表示機能を主な機能とする機器に限らず、付属的に表示部を備えた全ての機器を含むものである。
【００３２】
【発明の効果】
以上説明したように本発明によれば、表示板の外縁に当接するダイヤルリングの底面上に、表示板を位置決め支持する支持体に対して周回方向に係合する係合部を設けたことにより、ダイヤルリングを間接的に表示板に対して周回方向に位置決めすることができることから、たとえば、表示板の外周に張り出す位置決め形状を設ける必要がなくなるなど、各部品をダイヤルリングのない機器に対しても共用することができるように構成することが可能になり、製造コストの低減を図ることができる。
【図面の簡単な説明】
【図１】本発明に係るダイヤルリングの位置決め構造及び表示機器の実施形態の構造を示す模式的な概略断面図である。
【図２】同実施形態におけるダイヤルリングの構造を文字板及び文字板受けリングとともに示す概略平面図である。
【図３】同実施形態におけるダイヤルリングの概略底面図である。
【図４】同実施形態における文字板受けリングとダイヤルリングとの係合部を示す拡大断面図である。
【図５】従来の腕時計のダイヤルリングの構造を文字板及び文字板受けリングとともに示す概略平面図である。
【符号の説明】
１０  ムーブメント
１１  文字板受けリング
１１ａ，１１ｂ  工具挿入溝
１１ｃ  段差面
１１ｄ  側面
１２  文字板
１３  ダイヤルリング
１３ａ  表面
１３ｃ  工具挿入溝
１３ｄ  係合突起
１４  印刷層
【図１】
0003572906.tif 000002
【図２】
0003572906.tif 000003
【図３】
0003572906.tif 000004
【図４】
0003572906.tif 000005
【図５】
0003572906.tif 000006